(57)【要約】    【課題】  高ズーム比で全ズーム範囲にわたり高い光学性能が容易に得られる全系が小型のズームレンズを得ること。    【解決手段】  物体側より像側へ順に、正、負、正、負、正の屈折力の第１、第２、第３、第４、第５のレンズ群からなり、第１レンズ群は、物体側から像側へ順に、負、正、正のレンズからなり、第２レンズ群は、物体側から像側へ順に、負、負、正のレンズからなり、広角端から望遠端へのズ−ミングに際して、第１と第２のレンズ群間隔が増大し、第２と第３のレンズ群間隔が減少し、第３と第４のレンズ群間隔が増大し、第４と第５のレンズ群間隔が増大するように各レンズ群が移動するズームレンズであって、第２、第４レンズ群の移動量Ｍ２、Ｍ４、望遠端における第２レンズ群の横倍率β２ｗ、β２ｔ、広角端と望遠端における全系の焦点距離ｆｗ、ｆｔを各々適切に設定したこと。【選択図】    図１
2014035418.tif 000002
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群からなり、前記第１レンズ群は、物体側から像側へ順に、負レンズ、正レンズ、正レンズからなり、前記第２レンズ群は、物体側から像側へ順に、負レンズ、負レンズ、正レンズからなり、広角端から望遠端へのズ−ミングに際して、前記第１レンズ群と前記第２レンズ群の間隔が増大し、前記第２レンズ群と前記第３レンズ群の間隔が減少し、前記第３レンズ群と前記第４レンズ群の間隔が増大し、前記第４レンズ群と前記第５レンズ群の間隔が増大するように各レンズ群が移動するズームレンズであって、
広角端から望遠端へのズーミングにおける前記第２レンズ群と前記第４レンズ群の移動量を各々Ｍ２、Ｍ４、広角端と望遠端における前記第２レンズ群の横倍率を各々β２ｗ、β２ｔ、広角端と望遠端における全系の焦点距離を各々ｆｗ、ｆｔとするとき、
−１６．０＜Ｍ２／Ｍ４＜−１．８
０．２＜（β２ｔ／β２ｗ）／（ｆｔ／ｆｗ）＜０．５
なる条件式を満足することを特徴とするズ−ムレンズ。
【請求項２】
広角端から望遠端へのズーミングにおける前記第１レンズ群の移動量をＭ１とするとき、
−１．１＜Ｍ２／Ｍ１＜−０．４
なる条件式を満足することを特徴とする請求項１に記載のズ−ムレンズ。
【請求項３】
前記第１レンズ群と前記第４レンズ群の焦点距離を各々ｆ１、ｆ４とするとき、
−４．７＜ｆ１／ｆ４＜−２．６
なる条件式を満足することを特徴とする請求項１又は２に記載のズ−ムレンズ。
【請求項４】
広角端と望遠端における前記第２レンズ群の像面に対する光軸方向の位置敏感度を各々ｅｓ２ｗ、ｅｓ２ｔ、広角端と望遠端における前記第４レンズ群の像面に対する光軸方向の位置敏感度を各々ｅｓ４ｗ、ｅｓ４ｔ、前記第１レンズ群、前記第２レンズ群、前記第４レンズ群の焦点距離を各々ｆ１、ｆ２、ｆ４とするとき、
−１５．８＜（ｅｓ２ｔ／ｅｓ２ｗ）／（ｅｓ４ｔ／ｅｓ４ｗ）＜−４．５
６．５＜ｆ１／｜ｆ２｜＜１０．０
０．３＜ｆ２／ｆ４＜０．６
なる条件式を満足することを特徴とする請求項１乃至３のいずれか１項に記載のズ−ムレンズ。
【請求項５】
広角端から望遠端へのズーミングに際して、前記第１レンズ群は物体側に凹状の軌跡で移動し、前記第２レンズ群は像側へ移動し、前記第３レンズ群と前記第４レンズ群は物体側へ移動し、前記第５レンズ群は移動することを特徴とする請求項１乃至４のいずれか１項に記載のズームレンズ。
【請求項６】
前記第２レンズ群と前記第３レンズ群の間に開口絞りを有し、該開口絞りは、広角端から望遠端へのズーミングに際して、他のレンズ群と異なる軌跡で移動することを特徴とする請求項１乃至５のいずれか１項に記載のズームレンズ。
【請求項７】
前記第３レンズ群は、物体側から像側へ順に、正レンズ、負レンズ、負レンズ、正レンズからなり、前記第４レンズ群は両レンズ面が凹形状の負レンズからなり、前記第５レンズ群は正レンズと負レンズを接合した接合レンズからなることを特徴とする請求項１乃至６のいずれか１項に記載のズームレンズ。
【請求項８】
請求項１乃至７のいずれか１項に記載のズームレンズと、該ズームレンズによって形成された像を受光する撮像素子を有することを特徴とする撮像装置。
【発明の詳細な説明】
【技術分野】
【０００１】
本発明はズ−ムレンズに関するものであり、例えばデジタルスチルカメラ、ビデオカメラ、監視カメラ、放送用カメラ、銀塩フィルム用カメラ等の撮像装置に用いる撮影レンズとして好適なものである。
【背景技術】
【０００２】
近年、固体撮像素子を用いたデジタルスチルカメラ、ビデオカメラ、監視用カメラ等の撮像装置は、高機能化され、又装置全体が小型化されている。そしてそれに用いる撮影光学系として広画角かつ高ズ−ム比で、しかも全ズーム範囲にわたり高い光学性能を有したズ−ムレンズであること等が要求されている。
【０００３】
これらの要求を満足するズ−ムレンズの１つとして、物体側より像側へ順に、正、負、正、負、正の屈折力の第１レンズ群乃至第５レンズ群よりなる５群ズームレンズが知られている（特許文献１、２）。特許文献１、２では各レンズ群を移動させてズーミングを行い、高ズーム比で全ズーム範囲にわたり高い光学性能を有したズームレンズを開示している。
【先行技術文献】
【特許文献】
【０００４】
【特許文献１】特開２０１０−２７６６５５号公報
【特許文献２】特開２０１１−８１１１３号公報
【発明の概要】
【発明が解決しようとする課題】
【０００５】
前述した屈折力配置の５群ズームレンズは全系の小型化を図りつつ、高ズーム比化を図りつつ高い光学性能を得ることが比較的容易である。しかしながら望遠端での焦点距離を長くしつつ、更に高ズーム比化を図ろうとすると望遠側のズーム領域において球面収差、非点収差、そして色収差等の諸収差が増大してきて、高い光学性能を維持するのが難しくなってくる。また全系の小型化を図るために各レンズ群の屈折力を強めると望遠端において軸上色収差、倍率色収差及びコマ収差等が多く発生し、これらの諸収差の補正が困難となる。
【０００６】
前述した５群ズームレンズにおいて、高ズーム比化を図りつつ全ズーム範囲にわたり高い光学性能を得るには各レンズ群の屈折力や各レンズ群のズーミングに伴う移動条件等を適切に設定することが重要となる。例えば、第２、第４レンズ群のズーミングの際の移動条件や第２レンズ群の結像倍率等を適切に設定することが重要となる。これらの要素を適切に設定しないと全系の小型化を図り、かつ高ズーム比で、全ズーム範囲で高い光学性能を得るのが大変困難になってくる。
【０００７】
本発明は、高ズーム比で全ズーム範囲にわたり高い光学性能が容易に得られる全系が小型のズームレンズ及びそれを有する撮像装置の提供を目的とする。
【課題を解決するための手段】
【０００８】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群からなり、前記第１レンズ群は、物体側から像側へ順に、負レンズ、正レンズ、正レンズからなり、前記第２レンズ群は、物体側から像側へ順に、負レンズ、負レンズ、正レンズからなり、広角端から望遠端へのズ−ミングに際して、前記第１レンズ群と前記第２レンズ群の間隔が増大し、前記第２レンズ群と前記第３レンズ群の間隔が減少し、前記第３レンズ群と前記第４レンズ群の間隔が増大し、前記第４レンズ群と前記第５レンズ群の間隔が増大するように各レンズ群が移動するズームレンズであって、広角端から望遠端へのズーミングにおける前記第２レンズ群と前記第４レンズ群の移動量を各々Ｍ２、Ｍ４、広角端と望遠端における前記第２レンズ群の横倍率を各々β２ｗ、β２ｔ、広角端と望遠端における全系の焦点距離を各々ｆｗ、ｆｔとするとき、
−１６．０＜Ｍ２／Ｍ４＜−１．８
０．２＜（β２ｔ／β２ｗ）／（ｆｔ／ｆｗ）＜０．５
なる条件式を満足することを特徴としている。
【発明の効果】
【０００９】
本発明によれば、高ズーム比で全ズーム範囲にわたり高い光学性能が容易に得られる全系が小型のズームレンズが得られる。
【図面の簡単な説明】
【００１０】
【図１】実施例１のズームレンズの広角端におけるレンズ断面図
【図２】（Ａ）、（Ｂ）、（Ｃ）  実施例１のズームレンズの広角端、中間のズーム位置、望遠端における諸収差図
【図３】実施例２のズームレンズの広角端におけるレンズ断面図
【図４】（Ａ）、（Ｂ）、（Ｃ）  実施例２のズームレンズの広角端、中間のズーム位置、望遠端における諸収差図
【図５】実施例３のズームレンズの広角端におけるレンズ断面図
【図６】（Ａ）、（Ｂ）、（Ｃ）  実施例３のズームレンズの広角端、中間のズーム位置、望遠端における諸収差図
【図７】実施例４のズームレンズの広角端におけるレンズ断面図
【図８】（Ａ）、（Ｂ）、（Ｃ）  実施例４のズームレンズの広角端、中間のズーム位置、望遠端における諸収差図
【図９】実施例５のズームレンズの広角端におけるレンズ断面図
【図１０】（Ａ）、（Ｂ）、（Ｃ）  実施例５のズームレンズの広角端、中間のズーム位置、望遠端における諸収差図
【図１１】実施例６のズームレンズの広角端におけるレンズ断面図
【図１２】（Ａ）、（Ｂ）、（Ｃ）  実施例６のズームレンズの広角端、中間のズーム位置、望遠端における諸収差図
【図１３】実施例７のズームレンズの広角端におけるレンズ断面図
【図１４】（Ａ）、（Ｂ）、（Ｃ）  実施例７のズームレンズの広角端、中間のズーム位置、望遠端における諸収差図
【図１５】（Ａ）、（Ｂ）  実施例１のズームレンズの広角端、望遠端における横収差図
【図１６】（Ａ）、（Ｂ）  実施例１のズームレンズの広角端、望遠端における０．３°防振時の横収差図
【図１７】撮像装置の一例としての要部概略図
【発明を実施するための形態】
【００１１】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群を有している。第１レンズ群の物体側又は第５レンズ群の像側の少なくとも一方に屈折力のあるレンズ群が配置されている場合もある。
【００１２】
第１レンズ群は物体側から像側へ順に、負レンズ、正レンズ、正レンズからなる。第２レンズ群は物体側から像側へ順に、負レンズ、負レンズ、正レンズからなる。広角端から望遠端へのズーミングに際し、第１レンズ群と第２レンズ群の間隔が増大し、第２レンズ群と第３レンズ群の間隔が減少する。更に第３レンズ群と第４レンズ群の間隔が増大し、第４レンズ群と第５レンズ群の間隔が増大するように、各レンズ群が移動する。第５レンズ群を光軸上移動させてフォーカシングをするリアーフォーカス式を採用している。
【００１３】
図１は本発明での実施例１のズームレンズの広角端（短焦点距離端）におけるレンズ断面図、図２（Ａ）、（Ｂ）、（Ｃ）はそれぞれ実施例１のズームレンズの広角端、中間のズーム位置、望遠端（長焦点距離端）における収差図である。図３は本発明での実施例２のズームレンズの広角端におけるレンズ断面図、図４（Ａ）、（Ｂ）、（Ｃ）はそれぞれ実施例２のズームレンズの広角端、中間のズーム位置、望遠端における収差図である。
【００１４】
図５は本発明での実施例３のズームレンズの広角端におけるレンズ断面図、図６（Ａ）、（Ｂ）、（Ｃ）はそれぞれ実施例３のズームレンズの広角端、中間のズーム位置、望遠端における収差図である。図７は本発明での実施例４のズームレンズの広角端におけるレンズ断面図、図８（Ａ）、（Ｂ）、（Ｃ）はそれぞれ実施例４のズームレンズの広角端、中間のズーム位置、望遠端における収差図である。
【００１５】
図９は本発明での実施例５のズームレンズの広角端におけるレンズ断面図、図１０（Ａ）、（Ｂ）、（Ｃ）はそれぞれ実施例５のズームレンズの広角端、中間のズーム位置、望遠端における収差図である。図１１は本発明での実施例６のズームレンズの広角端におけるレンズ断面図、図１２（Ａ）、（Ｂ）、（Ｃ）はそれぞれ実施例６のズームレンズの広角端、中間のズーム位置、望遠端における収差図である。
【００１６】
図１３は本発明での実施例７のズームレンズの広角端におけるレンズ断面図、図１４（Ａ）、（Ｂ）、（Ｃ）はそれぞれ実施例７のズームレンズの広角端、中間のズーム位置、望遠端における収差図である。図１５（Ａ）、（Ｂ）は本発明の実施例１のズームレンズの広角端、望遠端における標準状態の横収差図である。図１６（Ａ）、（Ｂ）は実施例１のズームレンズの広角端、望遠端における第３レンズ群全体で像ぶれを０．３°防振時の横収差図である。図１７は本発明の撮像装置の要部概略図である。
【００１７】
各実施例のズームレンズは、ビデオカメラ、デジタルカメラ、監視用カメラ、ＴＶカメラ等の撮像装置に用いられる撮像光学系である。レンズ断面図において、左方が被写体側（物体側）（前方）で、右方が像側（後方）である。レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。
【００１８】
各実施例のレンズ断面図において、ＳＰは解放Ｆナンバーの光束を決定する開口絞りであり、第３レンズ群Ｌ３の物体側に位置している。ＦＣはフレアーカット絞りである。Ｇは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００１９】
収差図において、ＦｎｏはＦナンバー、ωは半画角（度）である。球面収差においてはｄ線（実線）およびｇ線（点線）を表示し、非点収差においてはｄ線におけるメリジオナル像面ΔＭ、サジタル像面ΔＳを表示し、歪曲収差においてはｄ線を表示し、倍率色収差においてはｄ線に対するｇ線の収差を表示している。横収差においてはｄ線を表示しており、横軸は瞳径を示す。
【００２０】
レンズ断面図において矢印は広角端から望遠端へのズーミングに際しての各レンズ群と開口絞りの移動軌跡と無限遠物体から近距離物体へのフォーカシングをするときの移動方向を示している。尚、以下の各実施例において広角端と望遠端は変倍レンズ群が機構上光軸上移動可能な範囲の両端に位置したときのズーム位置をいう。
【００２１】
各実施例では、広角端から望遠端へのズ−ミングに際して矢印のように、第１レンズ群Ｌ１は物体側に凹状の軌跡で移動する。第２レンズ群Ｌ２は像側に移動することによって変倍を行う。第３レンズ群Ｌ３は物体側に移動することによって変倍を行う。また、第４レンズ群Ｌ４は物体側に移動することによって変倍を行う。また、第５レンズ群Ｌ５は物体側に移動することで変倍に伴う像面変動を補正する。
【００２２】
レンズ断面図では像面ＩＰが不動のときの各レンズ群の動きを示すが広角端および望遠端における像面に対する相対的移動量であっても良い。また像面ＩＰを移動させても良い。また、第５レンズ群Ｌ５を光軸上移動させてフォーカシングを行うリアフォーカス式を採用している。第５レンズ群Ｌ５に関する実線の曲線５ａと点線の曲線５ｂは、各々無限遠物体と近距離物体にフォーカスしているときの変倍に伴う像面変動を補正するための移動軌跡である。また望遠端において無限遠物体から近距離物体へフォーカスを行う場合には、矢印５ｃに示すように第５レンズ群Ｌ５を前方に繰り出すことで行っている。
【００２３】
各実施例では以上のように構成することによって、全ズ−ム範囲にわたり高い光学性能が得られる小型のズ−ムレンズを得ている。また高ズ−ム比化を図りつつ、望遠端における倍率色収差およびコマ収差を良好に補正している。また、広角端から望遠端へのズ−ミングに際し、第１レンズ群Ｌ１と第２レンズ群Ｌ２の間隔が増大し、第２レンズ群Ｌ２と第３レンズ群Ｌ３の間隔が減少し、第３レンズ群Ｌ３と第４レンズ群Ｌ４の間隔が増大している。更に第４レンズ群Ｌ４と第５レンズ群Ｌ５の間隔は増大するようにしている。これにより広角端におけるレンズ全長を抑制している。更に前玉有効径を小型化している。
【００２４】
尚、撮影時には、第３レンズ群Ｌ３の全体若しくは一部又は第４レンズ群Ｌ４の全部を光軸に対して垂直方向の成分を持つように移動させる事によってズームレンズが振動したときの撮影画像のブレを補正しも良い。即ち防振を行っても良い。
【００２５】
開口絞りＳＰはズーミングに際して他のレンズ群と異なる軌跡で移動している。開口絞りＳＰをズーミングに際して移動させるときは広角端からズーム中間までは像側へ凸状の軌跡で移動し、ズーム中間から望遠端までは物体側に凸状の軌跡で移動するのが良い。この様に移動させることで第２レンズ群Ｌ２と第２レンズ群Ｌ３間の空間を有効利用することができて、レンズ全長の短縮と前玉有効径の小型化が容易になる。
【００２６】
各実施例において、広角端から望遠端へのズーミングにおける第２レンズ群Ｌ２と第４レンズ群Ｌ４の移動量を各々Ｍ２、Ｍ４とする。広角端と望遠端における第２レンズ群Ｌ２の横倍率を各々β２ｗ、β２ｔとする。広角端と望遠端における全系の焦点距離を各々ｆｗ、ｆｔとする。このとき、
−１６．０＜Ｍ２／Ｍ４＜−１．８                    ・・・（１）
０．２＜（β２ｔ／β２ｗ）／（ｆｔ／ｆｗ）＜０．５  ・・・（２）
なる条件式を満足している。ここでレンズ群の移動量は広角端から望遠端へのズーミングに際し像面に対して増大する方向へ、即ち物体側へ移動するときに正符号をとる。
【００２７】
条件式（１）は広角端から望遠端へのズーミングに際しての第２レンズ群Ｌ２と第４レンズ群Ｌ４の移動量の比を規定している。条件式（１）の上限値を超えて第２レンズ群Ｌ２の移動量の絶対値が小さくなると、広角端から望遠端へのズーミングに際し、第３レンズ群Ｌ３と第２レンズ群Ｌ２の間隔変化量が減少しすぎてしまう。そのため、高ズーム比化を達成するには、第２レンズ群Ｌ２の屈折力を強くする必要がある。
【００２８】
そうすると、広角端において非点収差が増大し、この非点収差の補正が困難になる。もしくは、第４レンズ群の移動量の絶対値が大きくなり、第３レンズ群Ｌ３と第４レンズ群Ｌ４の間隔変化量が増大しすぎてしまい、望遠端におけるレンズ全長の増大を抑制しつつ高ズーム比化することが困難となる。
【００２９】
また、下限値を超えて、第２レンズ群Ｌ２の移動量の絶対値が大きくなると、第３レンズ群Ｌ３と第２レンズ群Ｌ２の間隔変化量が増大しすぎてしまい、広角端において第２レンズ群Ｌ２と第３レンズ群Ｌ３の間隔が広がる。そうすると、前玉有効径の増大を抑制しつつ高ズーム比化することが困難となる。もしくは、第４レンズ群Ｌ４の移動量の絶対値が小さくなり、第３レンズ群Ｌ３と第４レンズ群Ｌ４の間隔変化量が減少しすぎてしまい、第５レンズ群Ｌ５との干渉を回避することが困難となる。
【００３０】
条件式（２）は広角端から望遠端へのズ−ミングに際しての第２レンズ群Ｌ２の変倍比と広角端と望遠端における全系の焦点距離の比を規定している。条件式（２）の上限値を超えると、第２レンズ群Ｌ２の変倍比が大きくなりすぎてしまい、望遠端において倍率色収差、軸上色収差、球面収差等が増大し、これらの諸収差の補正が困難となる。また、下限値を超えて、第２レンズ群Ｌ２の変倍比が小さくなりすぎると、高ズーム比を得るために他のレンズ群の変倍負担が大きくなりすぎてしまい、ズーム全域においてコマ収差および像面湾曲が増大し、これらの諸収差の補正が困難となる。
【００３１】
以上のように本実施例では第２レンズ群Ｌ２に対する第４レンズ群Ｌ４の相対的移動量と、第２レンズ群Ｌ２の変倍比と広角端と望遠端における全系の焦点距離の比を適切に設定している。これにより特に望遠端のレンズ全長を抑制しつつズーム比化を容易にしている。
【００３２】
本発明のズ−ムレンズにおいて、更に高ズ−ム比及び小型化を維持しつつ、高い光学性能を得るには、以下の条件式のうち１以上を満足することが望ましい。広角端から望遠端へのズーミングにおける第１レンズ群Ｌ１の移動量をＭ１とする。第１レンズ群Ｌ１と第２レンズ群Ｌ２と第４レンズ群Ｌ４の焦点距離を各々ｆ１、ｆ２、ｆ４とする。広角端と望遠端における第２レンズ群Ｌ２の像面に対する光軸方向の位置敏感度を各々ｅｓ２ｗ、ｅｓ２ｔとする。広角端と望遠端における第４レンズ群Ｌ４の像面に対する光軸方向の位置敏感度を各々ｅｓ４ｗ、ｅｓ４ｔとする。
【００３３】
位置敏感度の定義は次のとおりである。無限遠物体に合焦しているときの第ｉレンズ群の光軸方向の成分の移動量（像側への移動量を正とする）をΔＬ、このときの像面での結像位置の移動量（像側への移動量を正とする）をΔＩとする。このとき、第ｉレンズ群の位置敏感度ＥＳｉはＥＳｉ＝ΔＩ／ΔＬとする。このとき次の条件式のうち１以上を満足するのが良い。
−１．１＜Ｍ２／Ｍ１＜−０．４      ・・・（３）
−４．７＜ｆ１／ｆ４＜−２．６      ・・・（４）
−１５．８＜（ｅｓ２ｔ／ｅｓ２ｗ）／（ｅｓ４ｔ／ｅｓ４ｗ）＜−４．５・・・（５）
６．５＜ｆ１／｜ｆ２｜＜１０．０    ・・・（６）
０．３＜ｆ２／ｆ４＜０．６          ・・・（７）
次に前述の各条件式の技術的意味について説明する。
【００３４】
条件式（３）は広角端から望遠端へのズーミングに際しての第２レンズ群Ｌ２と第１レンズ群Ｌ１の移動量の比を規定している。条件式（３）の上限値を超えて第２レンズ群Ｌ２の移動量の絶対値が小さくなると、広角端から望遠端へのズーミングに際し、第３レンズ群Ｌ３と第２レンズ群Ｌ２の間隔変化量が減少しすぎてしまう。この結果、像面湾曲が増大し、像面湾曲の補正が困難となる。
【００３５】
もしくは第１レンズ群Ｌ１の移動量の絶対値が大きくなり、第２レンズ群Ｌ２と第１レンズ群Ｌ１の間隔変化量が増大しすぎてしまい、望遠端におけるレンズ全長の増大を抑制しつつ高ズーム比化することが困難となる。また、下限値を超えて第２レンズ群Ｌ２の移動量の絶対値が大きくなると、第３レンズ群Ｌ３と第２レンズ群Ｌ２の間隔変化量が増大しすぎてしまい、前玉有効径を抑制しつつ、高ズーム比化を図ることが困難となる。もしくは第１レンズ群Ｌ１の移動量の絶対値が小さくなり、第２レンズ群Ｌ２と第１レンズ群Ｌ１の間隔変化量が減少しすぎてしまう。
【００３６】
その結果、高ズーム比化を図るには、第１レンズ群Ｌ１の屈折力を強くする必要がある。そうすると、望遠端において軸上色収差および倍率色収差が増大し、これらの諸収差の補正が困難となる。そして、高ズーム比化を図るには他のレンズ群と第３レンズ群Ｌ３の間隔変化量を増大させる必要があり、ズーム全域における諸収差の補正が困難となる。
【００３７】
条件式（４）は望遠端における第１レンズ群Ｌ１と第４レンズ群Ｌ２の焦点距離の比を規定する。条件式（４）の下限値を超えると第１レンズ群Ｌ１の焦点距離が大きくなりすぎてしまい、望遠端におけるレンズ全長が増大するのを抑制しつつ高ズーム比化することが困難となる。もしくは、第４レンズ群Ｌ４の焦点距離の絶対値が小さくなりすぎてしまい広角端においてコマ収差及び倍率色収差が増大し、これらの諸収差の補正が困難となる。
【００３８】
また、上限値を超えると、第１レンズ群Ｌ１の焦点距離が小さくなりすぎてしまい、望遠端において球面収差、倍率色収差、軸上色収差等が増大し、これらの諸収差の補正が困難となる。もしくは、第４レンズ群の焦点距離の絶対値が大きくなりすぎてしまい、第４レンズ群Ｌ４以降の変倍効果が小さくなることから、望遠端におけるレンズ全長が増大し、これを抑制しつつ高ズーム比化を図ることが困難となる。
【００３９】
条件式（５）は第２レンズ群Ｌ２と第４レンズ群Ｌ４の位置敏感度の比を規定する。条件式（５）の上限値を超えると、第２レンズ群Ｌ２の位置敏感度の比が小さくなりすぎてしまう。その結果、高ズーム比を得るためには他のレンズ群の屈折力を強めなければならず、この結果、広角端において像面湾曲及び球面収差が増大し、これらの諸収差の補正が困難となる。もしくは、第４レンズ群Ｌ４の位置敏感度の比が大きくなりすぎてしまう。その結果、第４レンズ群Ｌ４の横倍率が小さくなるため、広角端においてコマ収差及び倍率色収差が増大し、これらの諸収差の補正が困難となる。
【００４０】
また、下限値を超えると、第２レンズ群Ｌ２の位置敏感度の比が大きくなりすぎてしまう。その結果、変倍に伴う像面変動を補正する際の第５レンズ群Ｌ５の移動量が大きくなりすぎて、全系の小型化が困難となる。もしくは、第４レンズ群Ｌ４の位置敏感度の比が小さくなりすぎてしまう。そのため、第４レンズ群Ｌ４の横倍率が大きくなり、高ズーム比を得るためには他のレンズ群の移動量が大きくなり、レンズ全長が増大してくるので良くない。
【００４１】
条件式（６）は第１レンズ群Ｌ１と第２レンズ群Ｌ２の焦点距離の比を規定する。条件式（６）の上限値を超えると第１レンズ群Ｌ１の焦点距離が大きくなりすぎてしまい、望遠端におけるレンズ全長を抑制しつつ高ズーム比化を図ることが困難となる。もしくは第２レンズ群Ｌ２の焦点距離の絶対値が小さくなりすぎてしまいズ−ム全域において像面湾曲、倍率色収差、コマ収差等の諸収差が増大し、これらの諸収差の補正が困難となる。
【００４２】
また、下限値を超えると、第１レンズ群Ｌ１の焦点距離が小さくなりすぎてしまい、望遠端において球面収差、倍率色収差、コマ収差等の諸収差が増大し、これらの諸収差の補正が困難となる。もしくは、第２レンズ群Ｌ２の焦点距離の絶対値が大きくなりすぎてしまい、ズーム全域におけるレンズ全長の増大を抑制しつつ高ズーム比化することが困難となる。
【００４３】
条件式（７）は第２レンズ群Ｌ２と第４レンズ群Ｌ４の焦点距離の比を規定する。条件式（７）の上限値を超えると第２レンズ群Ｌ２の焦点距離の絶対値が大きくなりすぎてしまい望遠端におけるレンズ全長を抑制しつつ高ズーム比化を図ることが困難となる。もしくは第４レンズ群Ｌ４の焦点距離の絶対値が小さくなりすぎてしまい、広角端においてコマ収差及び倍率色収差等の諸収差が増大し、これらの諸収差の補正が困難となる。
【００４４】
また、下限値を超えると、第２レンズ群Ｌ２の焦点距離の絶対値が小さくなりすぎてしまい、ズ−ム全域において像面湾曲、倍率色収差、コマ収差等の諸収差が増大し、これらの諸収差の補正が困難となる。もしくは、第４レンズ群Ｌ４の焦点距離の絶対値が大きくなりすぎてしまい、望遠端におけるレンズ全長を抑制しつつ高ズーム比化することが困難となる。更に好ましくは、各条件式の数値範囲を次の如く設定するのが良い。
【００４５】
−１４．９＜Ｍ２／Ｍ４＜−２．０                        ・・・（１ａ）
０．２２＜（β２ｔ／β２ｗ）／（ｆｔ／ｆｗ）＜０．４５  ・・・（２ａ）
−１．００＜Ｍ２／Ｍ１＜−０．４５                      ・・・（３ａ）
−４．４＜ｆ１／ｆ４＜−２．８                          ・・・（４ａ）
−１４．７＜（ｅｓ２ｔ／ｅｓ２ｗ）／（ｅｓ４ｔ／ｅｓ４ｗ）＜−５．０‥（５ａ）
７．１＜ｆ１／｜ｆ２｜＜９．３                          ・・・（６ａ）
０．３４＜ｆ２／ｆ４＜０．５５                          ・・・（７ａ）
【００４６】
更に好ましくは、各条件式（１a）〜（７a）の数値範囲を次の如く設定するのが良い。
−１３．７＜Ｍ２／Ｍ４＜−２．２                        ・・・（１ｂ）
０．２４＜（β２ｔ／β２ｗ）／（ｆｔ／ｆｗ）＜０．４３  ・・・（２ｂ）
−０．９１＜Ｍ２／Ｍ１＜−０．５０                      ・・・（３ｂ）
−４．０＜ｆ１／ｆ４＜−３．１                          ・・・（４ｂ）
−１３．６＜（ｅｓ２ｔ／ｅｓ２ｗ）（ｅｓ４ｔ／ｅｓ４ｗ）＜−５．５‥（５ｂ）
７．８＜ｆ１／｜ｆ２｜＜８．５                            ・・・（６ｂ）
０．３８＜ｆ２／ｆ４＜０．５０                            ・・・（７ｂ）
【００４７】
以上のように各実施例によればズーム比２０〜４０と高ズーム比で望遠端のレンズ全長の増大を抑制しながらも、広角端から望遠端までの全ズーム範囲にわたり色収差や像面湾曲などを良好に補正し、高い光学性能のズームレンズが容易に得られる。広角端から望遠端へのズ−ミングに際して開口絞りＳＰは他のレンズ群と異なった軌跡で移動するのが良い。広角端に比べ望遠端でレンズ全長が長くなるように各レンズ群が移動してズ−ミングを行うのが良い。
【００４８】
実施例１では第３レンズ群Ｌ３全体で防振を行っている。このとき、図１５（Ａ）、（Ｂ）の防振を行わない基準状態の収差図に対して０．３度の防振を行ったときでも図１６（Ａ）、（Ｂ）の収差図でも良好に収差補正がなされている。
【００４９】
更に、各実施例のズ−ムレンズにおいて、諸収差のうち歪曲収差及び倍率色収差の補正を電気的な画像処理によって補正しても良い。更に、第３レンズ群に非球面を用いるのが良く、これによればズ−ム全域の球面収差を良好に補正することが容易になる。第３レンズ群Ｌ３は物体側から像側へ順に、正レンズ、負レンズ、負レンズ、正レンズからなり、第４レンズ群Ｌ４は両レンズ面が凹形状の負レンズからなり、第５レンズ群Ｌ５は正レンズと負レンズを接合した接合レンズからなるのが良い。これによれば全ズーム範囲にわたり高い光学性能を得るのが容易になる。
【００５０】
次に本発明のズームレンズを撮影光学系として用いたデジタルスチルカメラの実施例を図１７を用いて説明する。図１７において、２０はカメラ本体、２１は実施例１〜７で説明したいずれか１つのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００５１】
本発明のズームレンズを撮影光学系として用いたビデオカメラ（撮像装置）にも同様に適用することができる。このように本発明のズームレンズをデジタルスチルカメラやビデオカメラ等の撮像装置に適用することにより、小型で高い光学性能を有する撮像装置を実現している。
【００５２】
以下に本発明の各実施例に対応する数値実施例を示す。各数値実施例においてｉは物体側からの光学面の順序を示す。ｒｉは第ｉ番目の光学面の曲率半径、ｄｉは第ｉ番目の面間隔、ｎｄｉとνｄｉはそれぞれｄ線に対する第ｉ番目の光学部材の材料の屈折率とアッベ数を示す。バックフォーカス（ＢＦ）は、最終面（ガラスブロック面）から近軸像面までの距離である。レンズ全長は、レンズ最前面から最終面までの距離にバックフォーカス（ＢＦ）を加えた値である。
【００５３】
数値実施例において最後の２つの面はフィルター、フェースプレート等の光学ブロックの面である。またＫを離心率、Ａ４、Ａ６、Ａ８、Ａ１０を非球面係数、光軸からの高さＨの位置での光軸方向の変位を面頂点を基準にしてｘとするとき、非球面形状は、
【００５４】
【数１】
2014035418.tif 000003
【００５５】
で表示される。但しＲは曲率半径である。また例えば「e−Ｚ」の表示は「１０-Z」を意味する。また、各数値実施例における上述した条件式との対応を表１に示す。半画角は光線トレースにより求めた値である。非球面は面番号の後に＊を付加して示す。前述の各条件式と数値実施例における諸数値の関係を表１に示す。
【００５６】
数値実施例１
単位 mm
面データ
面番号       r        d      nd         νd
1        101.721    1.30   1.80610    33.3 
2         44.521    4.58   1.49700    81.5 
3       -554.834    0.18 
4         43.808    3.44   1.60311    60.6 
5        224.609  (可変) 
6        132.874    0.70   1.83481    42.7 
7          8.358    4.65 
8        -32.141    0.55   1.77250    49.6 
9         26.500    0.20 
10         16.536    1.99   1.92286    18.9 
11         79.590  (可変) 
12 (絞り)   ∞     (可変) 
13*         9.519    3.03   1.55332    71.7 
14*       -67.520    2.30 
15         24.912    0.55   1.64769    33.8 
16          8.916    0.28 
17         12.394    0.50   1.84666    23.9 
18          9.266    1.90   1.51633    64.1 
19        -29.706  (可変) 
20        -39.092    0.70   1.48749    70.2 
21         12.666  (可変) 
22         17.121    2.88   1.83481    42.7 
23        -22.608    0.45   1.94595    18.0 
24        -64.627  (可変) 
25          ∞       0.60   1.51633    64.1 
26          ∞
【００５７】
非球面データ
第13面
K =-1.78888e-001  A 4=-4.01546e-006  A 6= 1.73083e-006  A 8= 1.75668e-008  A10= 2.62605e-010 
第14面
K =-6.67199e+001  A 4= 1.27460e-004  A 6= 3.44802e-006 
各種データ
ズーム比     28.51
広角     中間     望遠
焦点距離       4.42    15.43   125.99 
Fナンバー      3.50     5.10     5.98
半画角（度）  37.01    14.09     1.76 
像高           3.33     3.88     3.88 
レンズ全長    85.36    83.81   119.36 
BF             1.01     1.01     1.01 
d 5            0.78    15.73    56.38 
d11           29.71    10.30     0.93 
d12            8.90     1.10     0.51 
d19            2.45     8.77    10.93 
d21            4.70     5.47    12.64 
d24            7.03    10.65     6.16 
ズームレンズ群データ
群  始面    焦点距離
1    1      77.05
2    6      -9.51
3   12      14.87 
4   20     -19.54
5   22      17.37
【００５８】
数値実施例２
単位 mm
面データ
面番号       r        d      nd         νd
1        101.345    1.30   1.80610    33.3 
2         44.493    4.42   1.49700    81.5 
3       -662.408    0.18 
4         43.940    3.37   1.60311    60.6 
5        226.909  (可変) 
6        109.716    0.70   1.83481    42.7 
7          8.246    4.77 
8        -30.746    0.55   1.77250    49.6 
9         26.068    0.20 
10         16.390    2.03   1.92286    18.9 
11         80.095  (可変) 
12(絞り)    ∞     (可変) 
13*         9.541    2.97   1.55332    71.7 
14*       -71.659    2.11 
15         26.228    0.55   1.64769    33.8 
16          8.806    0.28 
17         12.440    0.50   1.84666    23.9 
18          9.693    1.95   1.51633    64.1 
19        -29.718  (可変) 
20        -64.279    0.70   1.48749    70.2 
21         13.344  (可変) 
22         17.732    3.16   1.83481    42.7 
23        -23.651    0.45   1.94595    18.0 
24        -74.771  (可変) 
25          ∞       0.60   1.51633    64.1 
26          ∞
【００５９】
非球面データ
第13面
K =-2.42569e-001  A 4=-1.78992e-005  A 6= 2.26841e-006  A 8=-3.93121e-008  A10= 2.62605e-010 
第14面
K = 1.18875e+002  A 4= 1.72065e-004  A 6= 2.63700e-006 
各種データ
ズーム比     36.47
広角     中間     望遠
焦点距離       4.28    15.18   155.93 
Fナンバー      3.50     5.10     5.98
半画角（度）  37.94    14.32     1.42 
像高           3.33     3.88     3.88 
レンズ全長    85.60    83.92   123.07 
BF             1.00     1.00     1.00 
d 5            0.78    15.31    57.64 
d11           30.35     9.97     0.67 
d12            8.46     1.00     0.51 
d19            2.31     8.73    12.04 
d21            4.99     5.76    16.95 
d24            6.92    11.36     3.46 
ズームレンズ群データ
群  始面    焦点距離
1    1      77.86
2    6      -9.38
3   12      15.14 
4   20     -22.60
5   22      18.43
【００６０】
数値実施例３
単位 mm
面データ
面番号       r        d      nd         νd
1        102.155    1.30   1.80610    33.3 
2         44.712    4.92   1.49700    81.5 
3       -552.910    0.18 
4         44.175    3.67   1.60311    60.6 
5        223.394  (可変) 
6        136.499    0.70   1.83481    42.7 
7          8.386    4.74 
8        -32.292    0.55   1.77250    49.6 
9         26.098    0.20 
10         16.566    2.36   1.92286    18.9 
11         81.914  (可変) 
12(絞り)    ∞     (可変) 
13*         9.497    3.25   1.55332    71.7 
14*       -95.401    2.44 
15         25.133    0.55   1.64769    33.8 
16          9.133    0.36 
17         12.954    0.50   1.84666    23.9 
18          9.567    1.97   1.51633    64.1 
19        -31.901    (可変) 
20        -38.028    0.70   1.48749    70.2 
21         13.745  (可変) 
22         17.082    3.24   1.83481    42.7 
23        -22.882    0.45   1.94595    18.0 
24        -66.240  (可変) 
25          ∞       0.60   1.51633    64.1 
26          ∞
【００６１】
非球面データ
第13面
K = 2.69473e-002  A 4=-1.57053e-005  A 6= 2.32765e-006  A 8= 4.83450e-008  A10= 2.62605e-010 
第14面
K = 4.54378e+001  A 4= 1.76439e-004  A 6= 5.61840e-006 
各種データ
ズーム比     31.50
広角     中間     望遠
焦点距離       4.42    14.01   139.23 
Fナンバー      3.50     5.10     5.98
半画角（度）  37.01    15.46     1.59 
像高           3.33     3.88     3.88 
レンズ全長    89.17    87.15   121.37 
BF             0.77     0.77     0.77 
d 5            0.78    14.91    58.09 
d11           31.14    12.87     0.49 
d12            8.98     1.01     0.51 
d19            2.52     8.96    11.20 
d21            5.01     6.06    11.48 
d24            7.29     9.89     6.16 
ズームレンズ群データ
群  始面    焦点距離
1    1      77.80
2    6      -9.49
3   12      15.61
4   20     -20.62
5   22      17.44
【００６２】
数値実施例４
単位 mm
面データ
面番号       r        d      nd         νd
1         97.666    1.30   1.80610    33.3 
2         45.645    5.82   1.49700    81.5 
3       -753.469    0.18 
4         44.267    4.23   1.60311    60.6 
5        169.632  (可変) 
6         74.581    0.70   1.83481    42.7 
7          8.461    5.55 
8        -31.973    0.55   1.77250    49.6 
9         26.091    0.20 
10         17.445    2.15   1.92286    18.9 
11         94.135  (可変) 
12(絞り)    ∞     (可変) 
13*         9.546    3.03   1.55332    71.7 
14*      -131.855    2.50 
15         24.580    0.55   1.64769    33.8 
16          9.271    0.33 
17         13.889    0.50   1.84666    23.9 
18          9.931    1.96   1.51633    64.1 
19        -32.770    (可変) 
20        -41.168    0.70   1.48749    70.2 
21         17.486  (可変) 
22         18.316    2.36   1.83481    42.7 
23        -29.617    0.45   1.94595    18.0 
24        -94.215  (可変) 
25          ∞       0.60   1.51633    64.1 
26          ∞
【００６３】
非球面データ
第13面
K = 1.18186e-001  A 4=-2.29486e-005  A 6= 9.60724e-007  A 8= 1.57010e-007  A10= 2.62605e-010 
第14面
K = 4.55788e+002  A 4= 1.91119e-004  A 6= 4.23256e-006  A 8= 1.38735e-007
各種データ
ズーム比     35.25
広角     中間     望遠
焦点距離       4.33    14.13   152.52 
Fナンバー      3.50     5.10     5.98
半画角（度）  37.60    15.34     1.46 
像高           3.33     3.88     3.88 
レンズ全長    91.83    89.69   125.50 
BF             0.53     0.53     0.53 
d 5            0.78    15.56    61.89 
d11           32.35    13.63     1.12 
d12            9.80     1.04     0.51 
d19            2.69     9.67     7.43 
d21            3.78     5.19    14.18 
d24            8.24    10.41     6.17 
ズームレンズ群データ
群  始面    焦点距離
1    1      81.52
2    6      -9.82
3   12      16.34 
4   20     -25.08
5   22      19.46
【００６４】
数値実施例５
単位 mm
面データ
面番号       r        d      nd         νd
1        101.746    1.30   1.80610    33.3 
2         44.631    4.67   1.49700    81.5 
3       -548.753    0.18 
4         44.214    3.53   1.60311    60.6 
5        224.141  (可変) 
6        129.574    0.70   1.83481    42.7 
7          8.389    4.81 
8        -31.707    0.55   1.77250    49.6 
9         25.971    0.20 
10         16.564    2.07   1.92286    18.9 
11         81.904  (可変) 
12(絞り)    ∞     (可変) 
13*         9.527    3.15   1.55332    71.7 
14*       -97.262    2.37 
15         25.154    0.55   1.64769    33.8 
16          9.108    0.29 
17         12.859    0.50   1.84666    23.9 
18          9.599    1.91   1.51633    64.1 
19        -32.721   (可変) 
20        -43.951    0.70   1.48749    70.2 
21         13.977  (可変) 
22         16.862    2.64   1.83481    42.7 
23        -24.481    0.45   1.94595    18.0 
24        -77.267  (可変) 
25          ∞       0.60   1.51633    64.1 
26          ∞
【００６５】
非球面データ
第13面
K = 3.66103e-002  A 4=-1.78814e-005  A 6= 3.37557e-006  A 8= 1.32227e-008  A10= 2.62605e-010 
第14面
K = 4.79111e+001  A 4= 1.76302e-004  A 6= 5.92890e-006 
各種データ
ズーム比     31.13
広角     中間     望遠
焦点距離       4.41    13.88   137.37 
Fナンバー      3.50     5.10     5.98
半画角（度）  37.06    15.60     1.62 
像高           3.33     3.88     3.88 
レンズ全長    89.24    86.90   120.53 
BF             0.49     0.49     0.49 
d 5            0.78    14.60    57.95 
d11           31.67    13.43     0.92 
d12            8.90     1.00     0.51 
d19            2.48     9.30    11.75 
d21            6.16     7.30    11.60 
d24            7.58     9.61     6.16 
ズームレンズ群データ
群  始面    焦点距離
1    1      77.68
2    6      -9.46
3   12      15.63 
4   20     -21.67
5   22      17.69
【００６６】
数値実施例６
単位 mm
面データ
面番号       r        d      nd         νd
1        101.828    1.30   1.80610    33.3 
2         44.651    4.67   1.49700    81.5 
3       -544.759    0.18 
4         44.221    3.53   1.60311    60.6 
5        223.997  (可変) 
6        130.037    0.70   1.83481    42.7 
7          8.388    4.82 
8        -31.438    0.55   1.77250    49.6 
9         26.043    0.20 
10         16.571    2.07   1.92286    18.9 
11         81.582  (可変) 
12(絞り)    ∞     (可変) 
13*         9.527    3.13   1.55332    71.7 
14*      -100.156    2.38 
15         25.317    0.55   1.64769    33.8 
16          9.112    0.30 
17         12.844    0.50   1.84666    23.9 
18          9.629    1.88   1.51633    64.1 
19        -33.803  (可変) 
20        -46.756    0.70   1.48749    70.2 
21         14.142  (可変) 
22         16.794    2.60   1.83481    42.7 
23        -25.067    0.45   1.94595    18.0 
24        -82.741  (可変) 
25          ∞       0.60   1.51633    64.1 
26          ∞
【００６７】
非球面データ
第13面
K = 3.90568e-002  A 4=-1.68790e-005  A 6= 3.95548e-006  A 8= 2.36638e-009  A10= 2.62605e-010 
第14面
K = 4.74952e+001  A 4= 1.77412e-004  A 6= 6.42921e-006 
各種データ
ズーム比     31.06
広角     中間     望遠
焦点距離       4.42    13.98   137.30 
Fナンバー      3.50     5.10     5.98
半画角（度）  37.01    15.49     1.62 
像高           3.33     3.88     3.88 
レンズ全長    89.85    88.17   120.45 
BF             0.49     0.49     0.49 
d 5            0.78    15.32    57.94 
d11           31.98    13.65     0.91 
d12            8.90     1.00     0.51 
d19            2.45     9.19    12.33 
d21            6.60     7.69    11.01 
d24            7.55     9.74     6.16 
ズームレンズ群データ
群  始面    焦点距離
1    1      77.68
2    6      -9.43
3   12      15.73
4   20     -22.19
5   22      17.83
【００６８】
数値実施例７
単位 mm
面データ
面番号       r        d      nd         vd
1        101.783    1.30   1.80610    33.3 
2         44.621    4.67   1.49700    81.5 
3       -544.766    0.18 
4         44.219    3.51   1.60311    60.6 
5        223.767  (可変) 
6        127.058    0.70   1.83481    42.7 
7          8.386    4.85 
8        -31.378    0.55   1.77250    49.6 
9         26.058    0.20 
10         16.617    2.03   1.92286    18.9 
11         81.570  (可変) 
12(絞り)    ∞     (可変) 
13*         9.528    3.15   1.55332    71.7 
14*      -102.098    2.32 
15         26.481    0.55   1.64769    33.8 
16          9.087    0.27 
17         12.849    0.50   1.84666    23.9 
18          9.843    1.88   1.51633    64.1 
19        -33.270   (可変) 
20        -46.713    0.70   1.48749    70.2 
21         14.596  (可変) 
22         16.706    2.55   1.83481    42.7 
23        -25.191    0.45   1.94595    18.0 
24        -91.271  (可変) 
25          ∞       0.60   1.51633    64.1 
26          ∞
【００６９】
非球面データ
第13面
K = 3.79335e-002  A 4=-1.76663e-005  A 6= 3.61683e-006  A 8= 7.99749e-009  A10= 2.62605e-010 
第14面
K = 5.97919e+001  A 4= 1.73589e-004  A 6= 6.21381e-006 
各種データ
ズーム比     31.03
広角     中間     望遠
焦点距離       4.42    13.91   137.17 
Fナンバー      3.50     5.10     5.98
半画角（度）  37.01    15.57     1.62 
像高           3.33     3.88     3.88 
レンズ全長    90.27    88.55   120.28 
BF             0.46     0.46     0.46 
d 5            0.78    15.26    57.94 
d11           32.34    13.95     0.88 
d12            8.78     1.02     0.51 
d19            2.45     9.31    12.99 
d21            6.87     7.93    10.38 
d24            7.63     9.66     6.16 
ズームレンズ群データ
群  始面    焦点距離
1    1      77.70
2    6      -9.42
3   12      15.82 
4   20     -22.73
5   22      18.05
【００７０】
【表１】
2014035418.tif 000004
【符号の説明】
【００７１】
Ｌ１  第１レンズ群    Ｌ２  第２レンズ群    Ｌ３  第３レンズ群
Ｌ４  第４レンズ群    Ｌ５  第５レンズ群    ＳＰ  開口絞り
【図１】
2014035418.tif 000005
【図２】
2014035418.tif 000006
【図３】
2014035418.tif 000007
【図４】
2014035418.tif 000008
【図５】
2014035418.tif 000009
【図６】
2014035418.tif 000010
【図７】
2014035418.tif 000011
【図８】
2014035418.tif 000012
【図９】
2014035418.tif 000013
【図１０】
2014035418.tif 000014
【図１１】
2014035418.tif 000015
【図１２】
2014035418.tif 000016
【図１３】
2014035418.tif 000017
【図１４】
2014035418.tif 000018
【図１５】
2014035418.tif 000019
【図１６】
2014035418.tif 000020
【図１７】
2014035418.tif 000021